(57)【要約】【課題】  十分な立体感を有する立体装飾付与体及びその作成方法、並びに、十分な立体感や有する文字板を備えた時計を提供する。【解決手段】  文字板１４と、時刻表示針２３〜２５を駆動するムーブメント１５と、文字板１４及びムーブメント１５を収容する時計ケース１３とを備え、文字板１４が、ベース板３０と、このベース板３０に配置されるエポキシ樹脂製の立体装飾体３１とを備える共に、この立体装飾体３１には、その縁部に光反射特性を有する塗料が塗布され、ベース板３０に透明エポキシ樹脂３２が盛りつけられて立体装飾体３１が透明エポキシ樹脂３２内に封入されるようにした。【選択図】      図２
2006258648.tif 000002
【特許請求の範囲】
【請求項１】
ベース体と、このベース体に配置されるエポキシ樹脂製の立体装飾体とを備え、この立体装飾体には、その縁部に光反射特性を有する塗料が塗布され、前記ベース体に透明エポキシ樹脂が盛りつけられて前記立体装飾体が透明エポキシ樹脂内に封入されることを特徴とする立体装飾付与体。
【請求項２】
前記塗料は、メタリック顔料及びパール顔料の少なくともいずれかを含む塗料であることを特徴とする請求項１又は２に記載の立体装飾付与体。
【請求項３】
前記立体装飾体は、その縁部上面が傾斜面に形成されることを特徴とする請求項１又は２に記載の立体装飾付与体。
【請求項４】
ベース体と、このベース体に配置されるエポキシ樹脂製の立体装飾体とを備え、この立体装飾体は、その縁部上面が傾斜面に形成され、前記ベース体に透明エポキシ樹脂が盛りつけられて前記立体装飾体が透明エポキシ樹脂内に封入されることを特徴とする立体装飾付与体。
【請求項５】
前記立体装飾体は、その裏面が前記ベース体に貼り付け可能な粘着面に形成されることを特徴とする請求項１乃至４のいずれかに記載の立体装飾付与体。
【請求項６】
前記ベース体は文字板のベース板であり、前記立体装飾付与体が時計用文字板として構成されることを特徴とする請求項１乃至５のいずれかに記載の立体装飾付与体。
【請求項７】
文字板と、時刻表示体を駆動する駆動手段と、前記文字板及び前記駆動手段を収容する時計ケースとを備え、前記文字板が、ベース板と、このベース板に配置されるエポキシ樹脂製の立体装飾体とを備えると共に、この立体装飾体には、その縁部に光反射特性を有する塗料が塗布され、前記ベース体に透明エポキシ樹脂が盛りつけられて前記立体装飾体が透明エポキシ樹脂内に封入されることを特徴とする時計。
【請求項８】
エポキシ樹脂製の立体装飾体の縁部に、光反射特性を有する塗料を塗布すると共に、この立体装飾体をベース体に配置し、このベース体に透明エポキシ樹脂を盛りつけて前記立体装飾体を透明エポキシ樹脂内に封入したことを特徴とする立体装飾付与体の作成方法。
【発明の詳細な説明】
【技術分野】
【０００１】
本発明は、ベース体に立体装飾体を配置した立体装飾付与体及びその作成方法並びに時計に関する。
【背景技術】
【０００２】
従来より、腕時計の文字板には、ベース板に絵柄や時字等を印刷し、その上に透明クリアー塗装を施し、その表面をラップ研磨により平滑面に形成したものが知られている（例えば、特許文献１）。この種の印刷文字板は、透明クリアーによる透明感を付与できるものの、印刷厚が０．０１〜０．０２ｍｍ程度に制限されるため、立体感の表現に乏しかった。
この印刷文字板よりも立体感を表現するため、凹凸模様をプレス装置によりベース板に型打転写し、その上に透明クリアー塗装を施し、表面をラップ研磨した型打文字板が提案されている（例えば、特許文献２）。
【特許文献１】特開２００３−１１３４９３号公報
【特許文献２】特開２００１−３３５６８号公報
【発明の開示】
【発明が解決しようとする課題】
【０００３】
しかし、従来の型打文字板にあっても、せいぜい印刷文字板の約２倍の厚さの凹凸、つまり、０．０２〜０．０３ｍｍ程度の厚さの凹凸しか付与できず、立体感の表現は未だ不十分であった。また、この種の印刷物や凹凸の立体感等の質感向上には、透明層を厚くすることが好ましいが、透明クリアー塗装は厚付けができず、従来は透明クリアーを０．１ｍｍ厚で塗装した後、ラップ研磨を行うので０．０５ｍｍ程度の厚さにしかならなかった。
【０００４】
本発明は、上述した事情に鑑みてなされたものであり、十分な立体感を有する立体装飾付与体及びその作成方法、並びに、十分な立体感や有する文字板を備えた時計を提供することにある。
【課題を解決するための手段】
【０００５】
上述課題を解決するため、本発明は、立体装飾付与体において、ベース体と、このベース体に配置されるエポキシ樹脂製の立体装飾体とを備え、この立体装飾体には、その縁部に光反射特性を有する塗料が塗布され、前記ベース体に透明エポキシ樹脂が盛りつけられて前記立体装飾体が透明エポキシ樹脂内に封入されることを特徴とする。この構成によれば、透明エポキシ樹脂内に封入されるエポキシ樹脂製の立体装飾体が、その縁部に光反射特性を有する塗料が塗布されるので、立体装飾体の縁部に視覚的に陰影が生じ、立体装飾体の立体感が向上する。
上記構成において、前記塗料がメタリック顔料及びパール顔料の少なくともいずれかを含む塗料であることが好ましい。また、上記構成において、立体装飾体の縁部上面を傾斜面に形成してもよく、この場合、この傾斜面によっても立体装飾体の縁部に視覚的に陰影が生じ、立体装飾体の立体感がより向上する。
【０００６】
また、本発明は、立体装飾付与体において、ベース体と、このベース体に配置されるエポキシ樹脂製の立体装飾体とを備え、この立体装飾体は、その縁部上面が傾斜面に形成され、前記ベース体に透明エポキシ樹脂が盛りつけられて前記立体装飾体が透明エポキシ樹脂内に封入されることを特徴とする。この構成によれば、透明エポキシ樹脂内に封入されるエポキシ樹脂製の立体装飾体の縁部上面が、傾斜面に形成されるので、この傾斜面によって立体装飾体の縁部に視覚的に陰影が生じ、立体装飾体の立体感が向上する。
上記各構成において、立体装飾体の裏面をベース体に貼り付け可能な粘着面に形成してもよく、また、ベース体を文字板のベース板として立体装飾付与体を時計用文字板として構成してもよい。
【０００７】
また、本発明は、時計において、文字板と、時刻表示体を駆動する駆動手段と、前記文字板及び前記駆動手段を収容する時計ケースとを備え、前記文字板が、ベース板と、このベース板に配置されるエポキシ樹脂製の立体装飾体とを備えると共に、この立体装飾体には、その縁部に光反射特性を有する塗料が塗布され、前記ベース体に透明エポキシ樹脂が盛りつけられて前記立体装飾体が透明エポキシ樹脂内に封入されることを特徴とする。この構成によれば、立体装飾体の縁部に塗布された塗料により、立体装飾体の縁部に視覚的に陰影が生じ、立体装飾体の立体感が向上する。
【０００８】
また、本発明は、立体装飾付与体の作成方法において、エポキシ樹脂製の立体装飾体の縁部に光反射特性を有する塗料を塗布すると共に、この立体装飾体をベース体に配置し、このベース体に透明エポキシ樹脂を盛りつけて前記立体装飾体を透明エポキシ樹脂内に封入したことを特徴とする。この構成によれば、立体装飾体の縁部に塗布された塗料により、立体装飾体の縁部に視覚的に陰影が生じ、立体装飾体の立体感が向上する。
【発明の効果】
【０００９】
本発明は、透明エポキシ樹脂内に封入されるエポキシ樹脂製の立体装飾体が、その縁部に光反射特性を有する塗料が塗布されるので、立体装飾体の縁部に視覚的に陰影が生じ、立体装飾体の立体感が向上する。
【発明を実施するための最良の形態】
【００１０】
以下、図面を参照して本発明の実施形態を詳述する。
図１は、本発明の一実施形態に係る腕時計１０の外観を示す図であり、図２は、腕時計１０の断面図である。この腕時計１０は、時計本体部１１と、時計本体部１１に連結された時計バンド１２とを備えて構成されている。
時計本体部１１は、時計ケース１３と、この時計ケース１３内に収容される文字板（立体装飾付与体）１４及びムーブメント（駆動手段）１５とから構成される。時計ケース１３の正面には、円形形状のカバーガラス１６が取り付けられ、このカバーガラス１６を介して文字板（時計用文字板）１４が視認可能に構成されると共に、このカバーガラス１６の周囲にベゼル（いわゆる縁）１７が取り付けられる。時計ケース１３の裏側には、裏蓋１８が取り付けられ、この時計ケース１３と裏蓋１８との間には、必要に応じて密封性や防水性を向上させるためのパッキン等のシール材が配置される。
【００１１】
ムーブメント１５は、図２に示すように、筒車２０、二番車２１および四番車２２を備え、各車２０〜２２は、文字板１４の中央穴１９を貫通し、当該文字板１４の上方に延出する。筒車２０には、時針（時刻表示体）２３が取り付けられ、二番車２１には、分針（時刻表示体）２４が取り付けられ、四番車２２には、秒針（時刻表示体）２５が取り付けられ、これら時刻表示針２３〜２５によって時刻が表示される。
【００１２】
このムーブメント１５は、水晶振動子を時間調速に用いてステッピングモータ等により上記各車を回転駆動するクオーツ式、或いは、ゼンマイを巻き上げてそのゼンマイに蓄えられた力により上記各車２０〜２２を回転駆動する機械式のいずれを適用してもよく、さらに、暦（年、月、日等）を表示する暦表示機構を備えたものでもよい。また、時刻表示針として、時針２３、分針２４、秒針２５を備える場合に限らず、時針２３及び分針２４だけとしてもよい。
【００１３】
文字板１４は、円板状のベース板（ベース体）３０を備え、このベース板３０は、黄銅等の金属材料又はプラスチック等の樹脂材料で形成され、このベース板３０の表面（時計表側の面）には、立体装飾体３１が配置され、これらが透明エポキシ樹脂３２でコートされている。本実施形態では、立体装飾体３１として、ベース板３０の中央に配置される略円形状の立体装飾体３１Ａと、この立体装飾体３１Ａの周囲に間隔を空けて配置される略矩形状の立体装飾体３１Ｂとを有している。
【００１４】
この立体装飾体３１は、エポキシ樹脂塗料を厚盛りして硬化させた後、その裏面に粘着シートが設けられて粘着面に形成され、これによって、ベース板３０に貼り付け可能な立体シールとして形成されている。より具体的には、このエポキシ樹脂塗料は、ベースとなるエポキシ樹脂が比較的低粘度に調整され、図３（Ａ）に示すように、所定の台３５に厚盛りした際に、その粘度調整と表面張力とによって、厚盛りした状態が保持され、かつ、その縁部３１Ｆの上面が丸みを持った傾斜面となるように形成される。この場合、エポキシ樹脂塗料が低粘度に調整されるので、盛り高さＨ１を例えば０．１ｍｍ〜０．３ｍｍ程度の範囲内の高さに容易にすることができ、しかも、一般にエポキシ樹脂は硬化時の体積収縮が少ないため、立体装飾体３１（図示の例では立体装飾体３１Ａ）の盛り高さ等の形状を精度良く目的の形状にすることができる。
【００１５】
さらに、この立体装飾体３１には、図３（Ｂ）に上面図を示すように、傾斜面に形成された縁部３１Ｆの領域α（図中ハッチング部分）に、立体装飾体３１と同系色の乱反射塗装、又は透明色の乱反射塗装が施される。
この乱反射塗装には、パール顔料又はメタリック顔料を含む塗料が使用され、パール顔料は、天然の雲母に金属酸化物（酸化チタンや酸化鉄）をコートしたものであり、この顔料を含む塗装を施すと、屈折率の高い酸化チタンの層と屈折率の低い雲母及びその周辺の媒体との境で反射した光によってパール調の光沢が付与される。また、メタリック顔料は、フレーク状のアルミナに酸化チタン又は酸化鉄をコートしたものであり、この顔料を含む塗装を施すと、メタリック調の光沢が付与される。
【００１６】
この塗料の塗膜厚さは例えば約２０〜３０μｍが好ましく、また、塗料は、例えば、塗料メーカ：メリックジャパン、商品名：Ｘｉｒａｌｌｉｃ  Ｔ60-10  ＷＮＴ（Crystal  Sylver）（主剤：Ｐ７９０ハイウレックスＰクリア＋５％量パール（メタリック）粉末を添加（ポリウレタン系又はアクリル系の透明樹脂）、シンナー：２７９１３、硬化剤：Ｈ３００−５０、比率：主剤（５）：シンナー（３）：硬化剤（１））を用いることが好ましい。また、塗料の粘度調整は、シンナーの含有率によって調整が可能である。
【００１７】
すなわち、この立体装飾体３１は、縁部３１Ｆに囲まれる領域βが、エポキシ樹脂そのものの光反射特性による光沢を持つと共に、縁部３１Ｆの領域が、エポキシ樹脂の光反射特性と異なる光反射特性を持つように形成され、これによって、領域βの周りに視覚的に陰影が生じ、領域Ｂの立体感が強調される。
また、縁部３１Ｆの上面が傾斜面に形成されているため、図３（Ｃ）に一例を示すように、この立体装飾体３１を照らす光Ｘに対する反射光Ｙの方向が、縁部Ｆとそれ以外の領域βとで異なり、これによっても、領域βの周りに視覚的に陰影が生じ、領域βの立体感がより強調される。
【００１８】
次に、文字板１４の作成方法を説明する。この文字板１４を作成するには、まず、図４（Ａ）に示すように、文字板１４のベース板３０に立体装飾体３１を貼り付け、次に、図４（Ｂ）に示すように、透明エポキシ樹脂３２を略均等に盛りつける。この盛りつけ高さＨ２は、立体装飾体３１の高さＨ１よりも大きくされ、これによって、透明エポキシ樹脂内に立体装飾体３１を封入する。この透明エポキシ樹脂の盛りつけは、一回盛りでも良いが、多数回盛りでもよい。
【００１９】
一般に、エポキシ樹脂は、優秀な接着性、硬化時の体積収縮小、強度と強靱性に優れる、電気静特性に優れる、耐薬品性が高い等の特性を有するため、この特性により、上記透明エポキシ樹脂が、ベース板３０及び立体装飾体３１に隙間なく強固に密着される。なお、この透明エポキシ樹脂には、特に、耐薬品性、硬度、透明度に優れるものを使用することが望ましく、より具体的には、例えば、変性ビフェニールＡタイプエポキシ樹脂：９３．６％（ビフェニールＡタイプ液状エポキシ樹脂含有率８８．２％）、ブチルグリシジルエーテル：５．５％、添加剤：０．９％、その他に、消泡材、紫外線吸収剤、硬化剤（脱脂族系ポリアミン）を添加したものが好ましい。
そして、この透明エポキシ樹脂が硬化すると、図４（Ｃ）に示すように、透明エポキシ樹脂に平坦加工を施して、その表面を平坦に加工し、かつ、光沢感を出す。この場合、透明エポキシ樹脂は硬度が高いので、挽き加工を行うことができ、挽き加工を行ってからラップ研磨加工を行うことにより、透明エポキシ樹脂を多めに盛っても、短時間で所望の厚さに加工することが可能となる。以上により文字板１４が作成される。
【００２０】
また、本構成では、図１及び図２に示すように、ベゼル１７が略リング状の金属体４０を備え、この金属体４０には、リング状の溝４０Ａが形成され、この溝４０Ａ内に、装飾部品４２が固定されている。この装飾部品４２は、図２に示すように、リング状のベース板（ベース体）４３を備え、このベース板４３の表面（時計表側の面）には、立体装飾体３１と同様方法で形成された立体装飾体４４が配置され、これらが、文字板１４と同様に透明エポキシ樹脂４５でコートされて形成されている。
この立体装飾体４４は、図１に示すように、三角形状の立体装飾体４４Ａと、円形状の立体装飾体４４Ｂとを有し、立体装飾体４４Ａは、０時（１２時）位置、３時位置、６時位置、９時位置に設けられ、立体装飾体４４Ｂは、１時、２時、４時、５時、７時、８時、１０時及び１１時の位置に設けられる。また、ベース板４３の材質は、黄銅等の金属材料又はプラスチック等の樹脂材料のいずれも適用可能である。
【００２１】
以上説明したように、本構成では、立体装飾体３１及び４４をエポキシ樹脂製としたので、この種の立体装飾体を印刷で設ける従来方法に比して、十分な厚さ（例えば０．１ｍｍ〜０．３ｍｍ程度の厚さ）と光沢感とを備える立体装飾体を作成することができ、しかも、この立体装飾体３１及び４４が立体シールとして構成されるので、文字板１４や装飾部品４２のベース板３０及び４３への取り付けも容易となる。
また、透明エポキシ樹脂の盛りつけにより立体装飾体３１及び４４を透明エポキシ樹脂内に封入するので、透明クリアー塗装を行う場合に比して、透明層を厚くすることができ、透明感等の質感が向上すると共に、厚く形成された立体装飾体３１及び４４を確実に透明層内に封入でき、その表面を平滑面に加工して均一な光沢感を得ることができる。
【００２２】
ところで、エポキシ樹脂製の立体装飾体３１及び４４を透明エポキシ樹脂内に埋め込んだ場合、立体装飾体３１及び４４の光沢が透明エポキシ樹脂の光沢により希釈化され、光の反射による造影の立体感が損なわれてしまうおそれがあるが、本構成では、立体装飾体３１及び４４の縁部３１Ｆ及び４４Ｆの上面が丸みを持つ傾斜面に形成されると共に、これら縁部上面に乱反射塗装が施されるので、立体装飾体３１及び４４の立体感を強調でき、これらが透明エポキシ樹脂で封入されても、これら立体装飾体３１及び４４を十分に立体に見せることができる。
【００２３】
上述した実施形態は、あくまで本発明の一態様に過ぎず、本発明の範囲内で任意に変形が可能である。例えば、上述の実施形態では、立体装飾体３１及び４４の縁部３１Ｆ及び４４Ｆの上面を、盛りつけにより傾斜面に形成すると共に、この縁部３１Ｆ及び４４Ｆに、乱反射塗装を施す場合について述べたが、いずれか一方だけを行ってもよい。
また、上述の実施形態では、乱反射塗装を施す場合について述べたが、要は、立体装飾体３１及び４４の縁部３１Ｆ及び４４Ｆに、縁部３１Ｆ及び４４Ｆ以外の領域と異なる光反射特性（光沢感）を付与する塗料を塗布すればよく、乱反射塗料以外の光反射特性を有する塗料、例えば、光散乱性を有する塗料や反射率がエポキシ樹脂に比して異なる塗料などを適用してもよい。
【００２４】
また、上述の実施形態では、一回の盛りつけで、立体装飾体３１及び４４の縁部上面を傾斜面に形成する場合について述べたが、図５（Ａ）に立体装飾体３１の一例を示す側断面図を示し、図５（Ｂ）にその上面図を示すように、多数回盛りを行うことによって、その縁部３１Ｆ及び４４Ｆを段付きの傾斜面に形成してもよい。さらに、上述の実施形態では、腕時計に使用する文字板１４及び装飾部品４２に本発明を適用する場合について述べたが、置き時計等の時計や時計バンドに適用される装飾部品や、時計以外の装身具等に用いられる立体装飾を施した部材（立体装飾付与体）に広く適用することができる。
【図面の簡単な説明】
【００２５】
【図１】本発明の一実施形態に係る腕時計の外観を示す図である。
【図２】腕時計の断面図である。
【図３】Ａは立体装飾体の製造方法の説明に供する図であり、Ｂは立体装飾体の状面図であり、Ｃは立体装飾体の光反射特性の説明に供する図である。
【図４】Ａ、Ｂ及びＣは文字板の作成方法の説明に供する図である。
【図５】Ａは変形例に係る立体装飾体の製造方法の説明に供する図であり、Ｂは立体装飾体の状面図である。
【符号の説明】
【００２６】
１０…腕時計、１１…時計本体部、１２…時計バンド、１３…時計ケース、１４…文字板（立体装飾付与体）、１５…ムーブメント、１７…ベゼル、２３…時針（時刻表示体）、２４…分針（時刻表示体）、２５…秒針（時刻表示体）、３０、４３…ベース板（ベース体）、３１、３１Ａ、３１Ｂ、４４、４４Ａ、４４Ｂ…立体装飾体、３１Ｆ、４４Ｆ…縁部、４０…金属体。
【図１】
2006258648.tif 000003
【図２】
2006258648.tif 000004
【図３】
2006258648.tif 000005
【図４】
2006258648.tif 000006
【図５】
2006258648.tif 000007